(57)【要約】【課題】  小型の球払出装置でも適正な払出作動が可能で長期間安定して作動させ得る払出制御機構を提供する。【解決手段】  球貯留タンクに貯留された遊技球を球払出装置５３に導く待機通路５２の終端部に、上流側に貯留された遊技球から作用する圧力を受け止めて圧力を減免させる受圧位置、圧力を減免させずに伝達させる解放位置、および遊技球を堰き止めて遊技球の流下を規制する球止位置に変位可能に設けられた受圧部材２２０と、待機通路の前方壁面と遊技盤２１との間に配設された駆動源２３１を有して受圧部材を受圧位置または解放位置に変位させる受圧部材駆動手段２３０と、受圧部材を球止位置に係止させる球止め手段１４５とを設け、制御装置が、球払出モータの回転起動に先立って受圧部材駆動手段２３０を作動させ、受圧部材２２０を受圧位置に位置させるように球払出制御機構を構成する。【選択図】  図１７
2005143613.tif 000002
【特許請求の範囲】
【請求項１】
遊技盤の背面を覆って取り付けられた裏セット盤に、遊技球を貯留する球貯留タンクと、前記球貯留タンクよりも下方に位置して設けられ前記遊技盤における入賞条件に応じた所定数量の遊技球を払い出す球払出装置と、前記球貯留タンクと前記球払出装置との間を結んで設けられ前記球貯留タンクに貯留された遊技球を整列させて前記球払出装置に導く案内通路と、前記球払出装置から払い出された遊技球を球皿に導く球払出通路と、前記球払出装置の作動を制御する制御装置とを備え、
前記球払出装置が、前記制御装置により回動が制御される球払出モータと、前記球払出モータに駆動される球送り回転体とを有し、前記案内通路に整列待機された遊技球を前記球送り回転体の回動により前記球払出通路側に移動させて遊技球を払い出すモータ駆動型の球払出装置であり、
前記案内通路が、前記球貯留タンクから供給される遊技球を流下させる過程で整列させる整列通路と、前記整列通路で整列された遊技球を受けて下方の前記球払出装置に導く待機通路とを有してなる弾球遊技機において、
前記待機通路の終端部に、
上流側に貯留された遊技球から作用する圧力を受け止めて下流側の遊技球に作用する圧力を減免させる受圧位置、上流側に貯留された遊技球から作用する圧力を減免させずに下流側の遊技球に伝達させる解放位置、および上流側に貯留された遊技球を堰き止めて遊技球が下流側に流下することを規制する球止め位置に変位可能に設けられた受圧部材と、
前記待機通路の前方壁面と前記遊技盤との間に配設された駆動源を有して前記受圧部材を前記受圧位置または前記解放位置に変位させる受圧部材駆動手段とを備えるとともに、
前記受圧部材を前記球止め位置に係止させる球止め手段を備え、
前記制御装置が、前記球払出モータの回転起動に先立って前記受圧部材駆動手段を作動させ、前記受圧部材を前記受圧位置に位置させるように構成したことを特徴とする弾球遊技機の球払出制御機構。
【発明の詳細な説明】
【技術分野】
【０００１】
本発明は、遊技球を貯留する球貯留タンクと、球貯留タンクから導かれた遊技球を遊技盤における入賞条件に応じて払い出すモータ駆動型の球払出装置とを備えた弾球遊技機に関し、さらに詳細には、球払出装置よりも上流側に貯留された遊技球から圧力を受けつつ作動する球払出装置の払出制御機構に関する。
【背景技術】
【０００２】
従来から、パチンコ機等のように遊技球を遊技媒体として利用する弾球遊技機には、遊技盤の背後に裏セット盤と称される機構セット盤が開閉可能に設けられ、この裏セット盤に、遊技盤における入賞状態に応じて遊技球を払い出す球払出装置が用いられている。球払出装置の上方には多数の遊技球を貯留する球貯留タンクと球貯留タンクに貯留された遊技球を整列させて球払出装置に導く案内通路が設けられ、球払出装置の下方には球払出装置から払い出された遊技球を遊技機前面の球皿に導く球払出通路が形成されるとともに、球払出装置の作動を制御する制御装置が設けられて球払出制御機構が構成されている。
【０００３】
近年の球払出装置では、一回の入賞時に払い出す遊技球の個数（払出賞球数という）を任意に設定することができ、また入賞した入賞具の種別やタイミング等の入賞条件に応じて複数種類の払出賞球数を設定でき、さらに、いわゆるＣＲ機における球貸し時の払い出しにも対応できるように、モータ駆動型の球払出装置が一般的に用いられている。モータ駆動型の球払出装置は、制御装置により回動が制御される球払出モータと、球払出モータに駆動される球送り回転体とを有し、案内通路に整列待機された遊技球を球送り回転体の回動により球払出通路側に移動させて遊技球を払い出すように構成されている（例えば、特許文献１を参照）。
【特許文献１】特開２００３−１６４６２６号公報（第２４〜２５頁、第２８図）
【０００４】
ここで、球払出制御機構における球払出装置の具体的な構成例を図２５に示すように、近年の球払出制御機構球では払出装置５３の上方に遊技球を整列させて導く案内通路が前後２列形成され、球払出装置の球送り回転体５３ｒは前後の案内通路５２ａ，５２ｂに対応して前後２段のインペラ構成になっている。前列側のインペラ５３ｒ１および後列側のインペラ５３ｒ２には、それぞれ遊技球を受容する受容部が１２０度ピッチで３箇所設けられるとともに、前後のインペラにおける受容部の角度位置は６０度オフセットして形成されており、 (ａ)図および(ｂ)図に、ある停止タイミングにおける前・後列のインペラの角度位置関係および案内通路に整列待機された遊技球の状態をそれぞれ示すように、前後のインペラが交互に受容部に遊技球を受け入れ、受容した遊技球を球送り回転体５３ｒの回動により１個ずつ案内通路側から球払出通路側に移動させて払い出す構成になっている。このため、球払出モータ５３ｍの回動角度を制御して球送り回転体５３ｒの回動角度を６０度のｎ倍（ｎ＝１，２，３…）に設定することにより、インペラが単段の場合の約半分の回転角度で、奇数、偶数を問わず任意数量の遊技球を払い出せるようになっている。また球払出モータの回動方向を時計廻り・反時計廻りに切り替えることで、例えば賞球の払出と球貸しとをモータの回動方向で分けたり、これにより払い出される球通路を異なる通路に切り分けたりすることも可能になっている。
【発明の開示】
【発明が解決しようとする課題】
【０００５】
ところで、払出制御機構では、球貯留タンクに貯留された遊技球が遊技球自身の自重によって球払出装置まで滞ることなく流下するように、球貯留タンクが上方に、球払出装置が下方に配設され、案内通路はこれらの間を繋いで大きな落差をもって形成されている。このため、遊技球と接する球払出装置の各部には、上流側に貯留された多数の遊技球の自重に基づく圧力が作用しており、球送り回転体や球送り回転体を支持する軸受部、球送り回転体を回動させる球払出モータ等には、作用する圧力の大きさに応じた強度や回転トルクを具備することが求められる。特に、貯留球が密に繋がった停止状態から球送り回転体を回動させる回転起動時には大きな起動トルクが必要であり、これを満たす高トルクモータが必要になるとともに、球送り回転体および軸受部にも回転起動時に作用する反力に抗して損傷や軸ぶれを生じさせない強度が必要とされる。
【０００６】
このため、球払出モータそのものが大型化し高額化するという問題に加えて、球送り回転体や球送り回転体を支持する軸受部、球払出モータを支持する支持部等についても同様に大型化や使用材質の高度化を招き、球払出装置全体が大型化および高額化するという問題があった。また、上記のような比較的大型の球払出装置を用いても、遊技球から強い圧力を受ける球送り回転体の各部や軸受部が長期の使用に伴って摩耗しやすく、長期間安定して作動させ得る払出制御機構が求められていた。
【０００７】
本発明は上記のような事情に鑑みて成されたものであり、比較的小型のモータを用いた球払出装置でも適正な払出作動が可能で装置の小型化および低廉化に資するとともに、長期間安定して作動させ得る払出制御機構を提供することを目的とする。
【課題を解決するための手段】
【０００８】
上記目的達成のため、本発明は、遊技盤の背面を覆って取り付けられた裏セット盤に、遊技球を貯留する球貯留タンクと、球貯留タンクよりも下方に位置して設けられ遊技盤における入賞条件に応じた所定数量の遊技球を払い出す球払出装置と、球貯留タンクと球払出装置との間を結んで設けられ球貯留タンクに貯留された遊技球を整列させて球払出装置に導く案内通路と、球払出装置から払い出された遊技球を球皿に導く球払出通路と、球払出装置の作動を制御する制御装置とを備え、球払出装置が、制御装置により回動が制御される球払出モータと、球払出モータに駆動される球送り回転体とを有し、案内通路に整列待機された遊技球を球送り回転体の回動により球払出通路側に移動させて遊技球を払い出すモータ駆動型の球払出装置であり、案内通路が、球貯留タンクから供給される遊技球を流下させる過程で整列させる整列通路と、整列通路で整列された遊技球を受けて下方の球払出装置に導く待機通路とを有してなる弾球遊技機に関するものである。そのうえで本発明では、待機通路の終端部に、上流側に貯留された遊技球から作用する圧力を受け止めて下流側の遊技球に作用する圧力を減免させる受圧位置、上流側に貯留された遊技球から作用する圧力を減免させずに下流側の遊技球に伝達させる解放位置、および上流側に貯留された遊技球を堰き止めて遊技球が下流側に流下することを規制する球止め位置に変位可能に設けられた受圧部材と、待機通路の前方壁面と遊技盤との間に配設された駆動源（例えば、実施形態におけるソレノイド１３１）を有して受圧部材を受圧位置または解放位置に変位させる受圧部材駆動手段とを備えるとともに、受圧部材を球止め位置に係止させる球止め手段を設け、制御装置が、球払出モータの回転起動に先立って受圧部材駆動手段を作動させ、受圧部材を受圧位置に位置させるように球払出制御機構を構成する。
【０００９】
この球払出制御機構では、球貯留タンクと球払出装置との間を結ぶ案内通路のうち、整列通路で整列された遊技球を受けて下方の球払出装置に導く待機通路の終端部に、上流側に貯留された遊技球から作用する圧力を受け止めて下流側の遊技球に作用する圧力を減免させる受圧位置、および上流側に貯留された遊技球から作用する圧力を減免させずに下流側の遊技球に伝達させる解放位置に変位可能に設けられた受圧部材と、待機通路の前方壁面と遊技盤との間に配設された駆動源を有して受圧部材を受圧位置または解放位置に変位させる受圧部材駆動手段とが設けられている。ここで、圧力を「減免させる」とは、上流側に貯留された遊技球から下流側の遊技球に作用する圧力を軽減または免除させることをいい、上流側に貯留された遊技球から作用する圧力の一部を受圧部材が受け止めて下流側の遊技球に作用する圧力を軽減させる場合と、上流側に貯留された遊技球から作用する圧力の全部を受圧部材が受け止めて下流側の遊技球に作用する圧力を免除する場合との両方を含む概念である。そして球払出制御機構では、制御装置が球払出モータの回転起動に先立って受圧部材駆動手段を作動させ、受圧部材を受圧位置に位置させて下流側の遊技球に作用する圧力を減免させるように構成される。
【００１０】
また、球払出制御機構には、受圧部材が、受圧部材駆動手段により配設される受圧位置または解放位置に加えて、上流側に貯留された遊技球を堰き止めて遊技球の流下を規制する球止め位置にも変位可能に設けられるとともに、受圧部材を球止め位置に係止させる球止め手段が設けられている。ここで、遊技球を「堰き止める」とは、単に上流側に貯留された遊技球から作用する圧力を減免させるのみならず、上流側から下流側への流下そのものを規制することをいう。なお、上記受圧位置を下流側の遊技球に作用する圧力を免除させる位置にする場合には、受圧位置と球止め位置とを同一位置に設定すること（共用すること）も可能である。
【発明の効果】
【００１１】
本発明の構成によれば、球貯留タンクと球払出装置との間を結ぶ案内通路のうち、整列通路で整列された遊技球を下方の球払出装置に導く待機通路の終端部、すなわち案内通路全体の下流端部に受圧部材が設けられ、球払出モータの回転起動時には、受圧部材が受圧位置に配設されて下流側の遊技球に作用する圧力が減免された状態で球払出モータが起動され球送り回転体が回動される。このため、球払出モータの回転起動時に遊技球から作用する圧力は、待機通路の出口〜球払出装置内の球送り回転体との間に停留されたわずか数球程度の重量相当に軽減することができる。従って、最も大きな回転トルクが必要とされる回転起動時の起動トルクを極めて大幅に減少させることができ、これにより、従来よりも低トルクの小型モータを用い得るとともに、球送り回転体や軸受部等についても同様に小型化し、あるいは一般材料を用いて構成することができる。従って、小型のモータを用いた球払出装置でも適正な払出作動を確保することができ装置の小型化および低廉化を実現できるとともに、負荷を軽減することで長期間安定して作動させ得る払出制御機構を提供することができる。
【００１２】
また、裏セット盤には、上述したような遊技球の案内通路、球払出通路に加えて遊技盤から排出された遊技済み球を集めて遊技島の回収装置に排出する遊技済み球排出通路、球貯留タンクや案内通路に貯留された遊技球を抜く球抜き通路などが設けられており、裏セット盤は一般的にこれらの球通路が立体的に形成された前後二層構造になっている。本構成の球払出制御機構では、受圧部材を受圧位置または解放位置に変位させる受圧部材駆動手段の駆動源が、待機通路の前方壁面と遊技盤との間、すなわち前後二層構造の前面側の層に配設されている。このため、裏セット盤の前後方向の厚さを増加させないコンパクトな構成で、上記効果を備えた球払出制御機構を提供することができる。
【００１３】
さらに、上記構成の球払出制御機構では、受圧部材が、受圧部材駆動手段により配設される受圧位置または解放位置に加えて、上流側に貯留された遊技球を堰き止めて遊技球の流下を規制する球止め位置にも変位可能に設けられるとともに、受圧部材を球止め位置に係止させる球止め手段が設けられている。このため、例えば、球払出装置などを保守点検等する際に、受圧部材を球止め位置に変位させて球止め手段により当該球止め位置に係止させることにより、受圧部材よりも上流側の案内通路や球貯留タンクに貯留された遊技球を全量球抜きすることなく、下流側に停留された遊技球のみを球抜き操作して保守点検作業等を行うことができる。従って、別途に専用の球止め機構を設けることなく、簡明な構成で作業性の良好な払出制御機構を提供することができる。
【発明を実施するための最良の形態】
【００１４】
以下、本発明を実施するための形態について添付図面を参照しながら説明する。本発明に係る払出制御機構を適用した弾球遊技機の一例として、図１に球払出制御機構を備えたパチンコ機の正面図、図２に第１構成形態の球払出制御機構を備えたパチンコ機の背面図を示しており、まず、これら両図を参照してパチンコ機ＰＭの全体構成について要約説明する。
【００１５】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３により前方に横開き開閉および着脱が可能に取り付けられ、正面右側に設けられた施錠装置４を利用して常には外枠１と係合連結された閉止状態に保持される。
【００１６】
前枠２の表側（前面側）上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１７】
遊技盤２０は、所定板厚の積層合板の表面にセルを貼り付けてルーター加工した化粧板２１を基板とし、前面側に内外の案内レール２２が円弧状に固設されて略円形の遊技領域ＰＡが区画形成される。遊技領域ＰＡには、多数本の遊技釘とともに風車や各種の入賞具２３，２４，２５、遊技の展開状況に応じた図柄を表示させる図柄表示装置２７、左右のサイドランプなどの遊技構成部品が取り付けられ、遊技領域ＰＡの下端部にアウト口２８が形成されている。化粧板２１の裏面側には中央部に図柄表示装置２７の作動を制御する図柄表示制御装置８７が取り付けられ、その周囲には各入賞具に落入して化粧板２１の裏面側に導かれたセーフ球、およびアウト口２８を通って化粧板２１の裏面側に導かれたアウト球（これらをまとめて「遊技済み球」という）を、化粧板２１の背面に沿って裏セット盤３０の遊技済み球排出通路に導く球寄せカバー２９が取り付けられている。
【００１８】
前枠２の表側中間部には、遊技補助盤と称される補助機構部が設けられるとともに、その前方に上球皿６が前方に横開き開閉および着脱可能に取り付けられ、正面右側に設けられた球皿施錠装置を利用して常には遊技補助盤の前面を覆う閉止状態に保持される。上球皿６の下側には、下球皿７が前方に突出して取り付けられその右側に遊技球の発射操作を行う発射ハンドル８が取り付けられている。前枠２の裏面下部には遊技球発射装置９が取り付けられており、遊技補助盤には遊技球発射装置９のハンマーに叩打された遊技球をガイドして外レールに向けて発射させる発射レール、遊技の展開状況に応じた効果音を発生させるスピーカなどが設けられている。
【００１９】
一方、前枠２の裏側（後面側）には、裏セット盤３０が前枠２の後方に横開き開閉および着脱可能に取り付けられ、常には遊技盤２０の裏面を覆う閉止状態に保持されている。裏セット盤３０は、中央部に遊技盤の図柄表示制御装置８７を受容する窓口３２を有して外枠１の内寸サイズよりも幾分小さめの方形枠状に形成された基枠体３１をベースとして構成される。
【００２０】
基枠体３１は、表裏に遊技済み球排出通路や球払出制御機構の球通路、球抜き通路等が立体的に形成された前後二層構造になっており、基枠体３１を前後に仕切る支持面の前面側に主として遊技盤２０の裏面側に排出された遊技済み球を集合させて遊技島の回収装置に導く遊技済み回収通路および球抜き通路が、支持面の後面側に主として遊技球を払い出す球払出制御機構が形成されている。
【００２１】
また基枠体３１の背面各部には、パチンコ機ＰＭの作動を統括的に制御する主制御装置８１や、遊技球の払い出し作動を制御する球払出制御装置８２、効果照明や効果音の作動制御を行うランプ・音声制御装置８３、各制御装置や電子部品に電力を供給する電源ユニット８４、遊技施設側と信号や電力の入出力を行うターミナル基板８５等の各種制御装置や回路基板、球払出装置５３等の電子部品が取り付けられ、これらが図示しないコネクタケーブルで接続されてパチンコ機ＰＭが作動可能に構成される。
【００２２】
パチンコ機ＰＭは、上球皿６およびガラス扉５が閉止施錠された状態で遊技に供され、上球皿６に遊技球を貯留させて発射ハンドル８を回動操作することにより遊技が開始される。発射ハンドル８が回動操作されると、上球皿６に貯留された遊技球が上球皿の背面に装着された球送り装置によって１球ずつ発射レールに送り出され、遊技球発射装置９のハンマーに打ち出されて遊技領域ＰＡに発射され、以降パチンコゲームが展開される。
【００２３】
さて、このように概要構成されるパチンコ機ＰＭにあって、遊技領域ＰＡに発射された遊技球が各入賞具に落入したときの遊技球の払い出し処理について、関連する各部の構成をもう少し詳しく説明する。遊技盤に設けられる入賞具には、その外観意匠や入賞時の動作を含めて種々の形態のものがあり、ゲージ設定に応じてどのような形態の入賞具を用いるものであってもよいが、例えば図１に例示した遊技盤２０では、一般入賞具２３、始動入賞具２４、アタッカー装置２５の３種類の入賞具を設けた例を示している。
【００２４】
一般入賞具２３は、遊技球が落入可能な入賞口を有する固定入賞具であり、入賞口の内部に遊技球を検出する入賞検出センサ２３ｓが取り付けられている。一般入賞具２３の後部には落入したセーフ球を化粧板２１の裏面側に導くセーフ球誘導路が設けられており、一般入賞具２３に落入したセーフ球は入賞検出センサ２３ｓに検出され、セーフ球誘導路および球寄せカバー２９を通って基枠体３１前面側の遊技済み球排出通路に受け止められ、この球排出通路を流下して遊技島の回収装置に排出される。
【００２５】
始動入賞具２４は、いわゆる電動チューリップ型の可動入賞具であり、左右のチューリップ羽根を開閉させて入賞口を拡大・縮小変化させることができる。始動入賞具２４の後部には入賞したセーフ球を化粧板２１の裏面側に導くセーフ球誘導路が設けられるとともに、この誘導路を流下する遊技球を検出する入賞検出センサ２４ｓが取り付けられており、始動入賞具２４に入賞したセーフ球が入賞球検出センサ２４ｓに検出され、セーフ球誘導路、球寄せカバー２９、遊技済み球排出通路を流下して遊技島の回収装置に排出される。
【００２６】
アタッカー装置２５は、いわゆるアタッカー型の可動入賞具であり、横長方形状の大入賞口を覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口が開放される。大入賞口の内部には左右二つの領域開口が設けられて各々に入賞検出センサ２５ｓ，２５ｔが設けられるとともに、アタッカー装置２５の後側に上記二つの領域開口に繋がって化粧板２１を貫通する二つのセーフ球誘導路が設けられており、大入賞口に落入したセーフ球はいずれかの領域開口を通って入賞検出センサ２５ｓ，２５ｔに検出され、セーフ球誘導路、球寄せカバー２９、遊技済み球排出通路を流下して遊技島の回収装置に排出される。
【００２７】
入賞検出センサ２３ｓ，２４ｓ，２５ｓ，２５ｔの検出信号は主制御装置８１に出力されており、主制御装置８１は入力された検出信号に基づいてパチンコ機ＰＭの作動を制御する。例えば、始動入賞口２４に遊技球が落入し入賞検出センサ２４ｓから入賞検出信号が出力されると、主制御装置８１は入力信号から、遊技球が入賞具に落入したこと、および入賞した入賞具が始動入賞口２４であることを検知し、この入賞条件に応じた遊技プログラムを呼び出して実行する。具体的には、主制御装置内で図柄の組み合わせ抽選を行うとともに、図柄表示制御装置８７に抽選結果を出力して図柄表示装置２７に表示される図柄を変動および停止制御させ、停止図柄の組み合わせに応じた作動、例えばランプ・音声制御装置８３を介してサイドランプの点滅表示やスピーカによる効果音の発生等を行わせる。また球払出制御装置８２に入賞条件に応じた払出指令信号を出力して球払出装置５３を作動させ遊技球の払い出し作動を行わせる。
【００２８】
一方、常には遊技盤２０の背後に位置して閉止保持される裏セット盤３０に、遊技球の払い出し作動を行う球払出制御機構が設けられている。球払出制御機構を含む裏セット盤の右枠杆（基枠体３１における窓口右側の枠杆部）３３部分の背面図を図３に示す。なお、遊技球の払い出しに関する主要機構部は、前後二層構造を有する基枠体３１の裏面側に設けられており、背面図を主として参照しながら説明するため、以降では図２および図３に示す背面図における左右方向を左方または右方と称し、紙面直交方向の向こう側（パチンコ機前面側）を前方、手前側（同裏面側）を後方と称して説明する。また遊技球を球払出装置に導く案内通路等の基本構成および球払出装置の作動は、背景技術の項で参照した図２５に示す構成および作動と略同様であるため、これらの図面を併せて参照しながら説明する。
【００２９】
球払出制御機構は、基枠体３１の左上部に取り付けられて遊技球を貯留する球貯留タンク４１、基枠体３１における右枠杆３３の下部に取り付けられて遊技球の払出を行う球払出装置５３、球貯留タンク４１と球払出装置５３との間を結んで設けられ球貯留タンク４１に貯留された遊技球を整列させて球払出装置５３に導く案内通路、球払出装置５３の下方に設けられて球払出装置から払い出された遊技球を上下の球皿６，７に導く球払出通路６０、基枠体３１の背面下部に取り付けられて球払出装置５３の作動を制御する球払出制御装置８２、および案内通路に設けられて球払出装置５３に作用する遊技球の圧力を調圧する受圧制御ユニット１００などから構成される。
【００３０】
球貯留タンク４１は、上面開放の箱状体をなし、タンク内部に500〜800個程度の遊技球を貯留可能になっている。球貯留タンク４１の底面は緩く左傾および前傾して形成され左前方には上下連通する開口部が形成されて下方の案内通路に繋がっている。案内通路は、球貯留タンク４１から供給された遊技球を流下させる過程で整列させる整列通路、整列通路で整列された遊技球を受けて下方の球払出装置５３に導く待機通路とからなり、整列通路は球貯留タンクの直下に取り付けられたタンクレール４２内に、待機通路は右枠杆３３に取り付けられたＳ字レール５２の前後に形成される。
【００３１】
タンクレール４２は、窓口３２上方の基枠体３１にねじ止めされた取付姿勢において前後の壁面に囲まれた樋状体をなし、底面には右方に向けて高さが高くなるリブ状の仕切壁が立設されて樋内に前後二列の整列通路４２ａ，４２ｂが形成される。タンクレール４２は左上方の球貯留タンク４１側から右下方の待機通路側に向けて約４度の傾斜角で取り付けられるとともに、通路中間部には上下方向に積み重なった遊技球を平らに均す球均し具４４が垂設されており、球貯留タンク４１から供給された遊技球が傾斜下流に向けて流下する過程で整列され、右枠杆３３の上部では前後二列の整列通路４２ａ，４２ｂに整列された状態て待機通路側に流下される。タンクレール４２の傾斜端部すなわち整列通路４２ａ，４２ｂの終端部は下方に滑らかに折り曲げられ、下端に開口する偏向出口で待機通路と繋がっている。
【００３２】
右枠杆３３には、偏向出口から送り出された遊技球を受けて待機通路５２ａ，５２ｂに整列状態で待機させるＳ字レール５２と、このＳ字レール５２の下側に取り付けられて待機通路に待機された遊技球を所定の払出条件に基づいて払い出す球払出装置５３、および右枠杆３３に支持されたＳ字レール５２の後方を覆って取り付けられＳ字レール５２の前後面に上記二列の待機通路を形成させる蓋部材５８などが取り付けられる。また、偏向出口とＳ字レール５２との間には、遊技球の払い出しを行い得る充分な遊技球が待機通路５２ａ，５２ｂに保持されているか否かを検出するための球有検出センサ５１が着脱可能に取り付けられ、球払出装置５３の払出口と球払出通路６０との間には、払い出された遊技球を検出してその実数を計数するための球計数センサ５４，５４が係脱可能に設けられている。
【００３３】
Ｓ字レール５２は、中間に形成された仕切壁５２ｗと、この仕切壁を挟む前後面に遊技球の球径よりも幾分大きめの間隔をおいて左右平行に立設された通路壁５２Ｌ，５２Ｒとを有し、仕切壁５２ｗの前後に通路壁５２Ｌ，５２Ｒで囲まれた凹状の通路溝が形成されている。前後の通路溝は図３に示すように屈曲して形成されており、上流側に位置する遊技球の自重による球圧が下流側で加重されて過大な圧力にならないようになっている。Ｓ字レール５２は通路溝の清掃容易化等のため基枠体３１と別体に構成されており、右枠杆３３に立設された支持ボス３４に嵌挿して位置決め支持させ、後方から蓋部材５８をねじ固定することにより右枠杆３３に固定される。
【００３４】
Ｓ字レール５２が右枠杆３３に固定されると、前後の通路溝の開放部が前方の右枠杆３３の支持面と後方の蓋部材５８とに覆われて前後二列の待機通路５２ａ，５２ｂが形成される。Ｓ字レール５２における上方の通路壁の一部は切り欠かれており、常にはこの切り欠き部に相当する通路壁５５ａが形成された流路切り替え部材５５により閉鎖されている（図１２を参照）。Ｓ字レール５２の下端部は球払出装置５３の受容口と位置整合して形成され、偏向出口から導入された遊技球を前後二列の整列状態で球払出装置５３に導くとともに、球払出装置の停止時に遊技球を待機通路５２ａ，５２ｂに整列状態で待機させる。
【００３５】
球払出装置５３は、上部中央の前後に待機通路５２ａ，５２ｂと連絡して遊技球を受容する受容口５３ａ，５３ｂ、下部の左右に遊技球を払い出す払出口５３ｃ，５３ｄが形成されるとともに、ケース内部には前後二段のインペラを有する球送り回転体５３ｒと、球送り回転体５３ｒを回転させる球払出モータ５３ｍとが設けられている（図２５を参照）。球送り回転体５３ｒの前列側のインペラ５３ｒ１および後列側のインペラ５３ｒ２には、それぞれ遊技球を受容するＵ溝状の受容部が１２０度間隔で三カ所設けられるとともに、前後のインペラはそれぞれ受容部の角度位置が６０度オフセットして形成されている。このため、受容口５３ａ，５３ｂから供給された遊技球は、球送り回転体５３ｒの回動に伴って前後のインペラ５３ｒ１，５３ｒ２の受容部に交互に受け入れられ、受容部の回動により右または左のカセット内通路に１個ずつ移動され左右いずれかの払出口５３ｃ，５３ｄから球払出通路６０に払い出される。
【００３６】
球払出制御装置８２には、主制御装置８１から遊技盤２０における入賞条件に応じた払出指令信号が入力されており、球払出制御装置８２は主制御装置８１から入力された払出指令信号に応じたモータ駆動信号を球払出装置５３に出力し、球払出装置５３は入力されたモータ駆動信号に基づいて球払出モータ５３ｍを作動させ、球送り回転体５３ｒを時計廻りまたは反時計廻りに所要の回転角度分だけ回転させて、モータ駆動信号に対応する数量の遊技球を右または左の払出口５３ｄ，５３ｃから球払出通路６０に払い出す。
【００３７】
また、プリペイドカードユニット９０が接続されたいわゆるＣＲ機では、上球皿６の前面側に球貸要求ボタンを有するＣＲ操作パネル９２が設けられてその出力信号が球払出制御装置８２に入力されており、球払出制御装置８２は、ＣＲ操作パネル９２から入力された球貸要求信号に応じたモータ駆動信号を球払出装置５３に出力し、球払出装置５３は入力されたモータ駆動信号に基づいて球払出モータ５３ｍを作動させ、球送り回転体５３ｒを反時計廻りまたは時計廻りに所要の回転角度分だけ回転させ、モータ駆動信号に対応する数量の遊技球を左または右の払出口５３ｃ，５３ｄから球払出通路６０に払い出す。
【００３８】
球払出口５３ｃ，５３ｄから払い出された遊技球は、球計数センサ５４，５４により通過が検出され、球払出制御装置８２は球計数センサから入力された検出信号から払い出された遊技球の数量をカウントしてモータ駆動信号に係る目標数量と比較し、球払出装置５３の作動を制御する。これにより、主制御装置８１から入力される払出指令信号やＣＲ操作パネル９２から入力される球貸要求信号に応じた数量の遊技球が球払出通路６０に払い出され、球払出通路６０を転動流下して上球皿６または下球皿７に払い出される。
【００３９】
なお、待機通路の上部に設けられた球有検出センサ５１は、この球有検出センサが配設された上部位置まで遊技球が整列待機されているか否かを検出することで、遊技球の払い出しを不足なく行い得る数量（例えば３５球程度）の遊技球が保持されているか否かを判定するためのセンサであり、その検出信号が球払出制御装置８２に出力されている。球払出制御装置８２は球有検出センサ５１から入力された検出信号が球無し状態であるときに、球払出装置５３の作動を規制し所定のアラームを発生させる。
【００４０】
また、整列通路の下流部には上部球止め機構が設けられ、待機通路の上流部には上部球抜き機構が設けられている。上部球止め機構は、偏向出口の上方に位置して基枠体３１の支持面と平行な面内に揺動可能に枢支された球止め部材４５からなる。球止め部材４５には、前後の整列通路４２ａ，４２ｂの配設位置に合わせて鉤状のフック部が形成されており、球止め部材４５を反時計廻りに揺動させて前後のフック部を整列通路に突出させることで、フック部よりも上流側に位置する遊技球の流下を止めることができるようになっている。
【００４１】
上部球抜き機構は、右枠杆３３の裏面側に右枠杆の支持面と平行な面内に揺動可能に枢支された流路切り替え部材５５と、右枠杆３３の前面側に右枠杆の支持面と直交方向に揺動可能に取り付けられた操作部材５６、および待機通路を開放したときに溢れ出る遊技球を遊技島の回収装置に導く球抜き通路５７などから構成される。
【００４２】
流路切り替え部材５５の下部には、Ｓ字レール５２の切り欠き部に相当する壁面形状を有する通路壁５５ａが形成され、中間部に形成された支軸孔で右枠杆の枢支軸３５（図１２を参照）に揺動自在に枢支されている。また球抜き通路５７は、Ｓ字レール５２の右側方に位置して基枠体３１の裏面側に形成された予備通路５７ａ、予備通路５７ａの下方に右枠杆３３の支持面を貫通して形成された連絡開口５７ｂ、および基枠体３１の前面側に連絡開口５７ｂから下方に向かって形成された下降通路５７ｃなどからなる。下降通路５７ｃの前方は基枠体３１の前面側に取り付けられた前カバー１１８で覆われており（図６等を参照）、右枠杆３３の下方で前述した遊技済み球排出通路に繋がっている。
【００４３】
流路切り替え部材５５は、操作部材５６の係合突起との係合により常にはＳ字レールの切り欠き部を塞ぐ閉止位置に保持されており、上流側から供給された遊技球が前後二列の待機通路５２ａ，５２ｂにより整列状態で球払出装置５３に導かれる。一方、操作部材５６の操作レバー部が後方に揺動操作されると、係合突起と流路切り替え部材との係合が解除されて流路切り替え部材５５が反時計廻りに揺動し、解放された切り欠き部から予備通路５７ａに溢れ出た遊技球が、連絡開口５７ｂから下降通路５７ｃおよび遊技済み球排出通路を介して遊技島の回収装置に流下される。
【００４４】
このため、上部球止め機構を利用して遊技球の流下を規制し、上部球抜き機構を利用して球抜き操作を行うことにより、球貯留タンク４１やタンクレール４２に貯留された遊技球を全量球抜きすることなく、球有り検出センサ５１の近傍に位置する遊技球のみを球抜きして、球有り検出センサ５１の保守点検や交換作業を行うことができるようになっている。
【００４５】
なお、前枠２およびガラス扉５には、裏セット盤３０を前枠２に閉鎖保持させた状態で操作部材５６の操作レバー部の前方に対峙する位置に、ハートキーと称される保守作業用の操作ピン（図５および図７に付記するハートキー１４５を参照）を挿通させる球抜き操作孔５ｈが形成されており、パチンコ機ＰＭの前面側から球抜き操作孔５ｈにハートキー１４５を挿入して操作レバー部を押圧操作することにより、パチンコ機の外部から球抜き操作および球抜き後の復帰操作を行えるようになっている。
【００４６】
さて、以上のように構成される払い出し機構における待機通路５２ａ，５２ｂ中間部に受圧制御ユニットが設けられ球払出制御機構が構成される。以下図４〜図１１の各図を参照して第１構成形態の受圧制御ユニット１００の構成および作用について詳細に説明する。なお、図４は受圧制御ユニット１００を右斜め後方から見た分解斜視図、図５は受圧制御ユニット１００および球払出装置５３を主として示す右側断面図、図６は図３中のVI−VI矢視方向に見た平断面図、図７は受圧部材を球止め位置に係止した状態で図３中のVII−VII矢視方向に見た平断面図、また図８は球払出制御機構の制御形態を主として示すブロック図、図９は球払出制御機構におけるソレノイドと球払出モータの駆動タイミングを示すタイミングチャート、図１０および図１１は受圧部材を受圧位置に変位させたときの遊技球の係止状態を示す背面図、図１２はハートキーにより球止め状態にしたときの受圧制御ユニット１００の背面図である。
【００４７】
受圧制御ユニット１００は、大別的には、Ｓ字レール５２と隣接して揺動可能に支持され、上流側に貯留された遊技球から作用する圧力を受け止めて下流側の遊技球に作用する圧力を減免させる受圧位置Ｐｒ、上流側に貯留された遊技球から作用する圧力を減免させずに下流側の遊技球にそのまま伝達させる解放位置Ｐｆ、および上流側に貯留された遊技球を堰き止めて遊技球が下流側に流下することを規制する球止め位置Ｐｓに変位可能に設けられた受圧部材１２０、受圧部材１２０を受圧位置または解放位置に変位させる受圧部材駆動機構１３０、受圧部材１２０を球止め位置に係止させる球止め構造１４０などから構成される。
【００４８】
Ｓ字レール５２には、球払出装置５３の直上に位置する屈曲部、すなわち待機通路５２ａ，５２ｂの終端の屈曲部に、受圧部材１２０の前後の受圧突起１２２ａ，１２２ｂを挿通させる受圧突起挿通部１１２ａ，１１２ｂが形成されている。前後の受圧突起挿通部１１２ａ，１１２ｂは、受圧突起１２２ａ，１２２ｂの揺動軌跡に合わせて、右通路壁５２Ｒの屈曲角部に開口形成されており、受圧突起１２２ａ，１２２ｂを待機通路内に受容可能に構成されている。なお、後列側の待機通路５２ｂにおける左右通路壁の後部は蓋部材５８に形成されており（図４〜図７の各図を参照）、このため後列側の受圧突起挿通部１１２ｂが後方に開いた切り欠き状になっている。
【００４９】
受圧部材１２０は、基板となる本体プレート部の上端部に形成された軸受部１２１、本体プレート部の下端部に突出成型された前後二カ所の受圧突起１２２ａ，１２２ｂ、本体プレート部の右側面中央部に形成されたカムプレート部１２３、本体プレート部から後方に突出成型された軸状の操作摘み１２４などからなり、ガラス繊維または炭素繊維を添加してじん性を強化したＡＢＳ樹脂やナイロン樹脂ポリアセタール樹脂などの樹脂材料を射出成型等の成形手段により一体成型して構成される。
【００５０】
本体プレート部の上端部に形成された軸受部１２１は、本体プレート部と滑らかに繋がって前後に延びる円筒状に形成されており、その軸心には支軸１２５の外径よりもわずかに大きめの内径を有して前後連通する軸受孔が形成されている。右枠杆３３の支持面には支軸１２５の外径と同径またはわずかに小さめの内径を有して支軸１２５の前端部を嵌合支持する枠側軸支ボス１１１ａが形成されている。
【００５１】
本体プレート部の下部領域は、前後中間部が切り欠かれてそれぞれ下方に延びるカンチレバー状に形成され、その下端部に受圧突起挿通部１１２ａ，１１２ｂの開口位置および形状に合わせて鉤状の受圧突起１２２ａ，１２２ｂが形成されている。このため、枠側支持ボス１１１に嵌合支持させた支軸１２５に軸受部１２１を緩挿支持させて受圧部材１２０を揺動させたときに、前後の受圧突起１２２ａ，１２２ｂが各受圧突起挿通部１１２ａ，１１２ｂを通って左右に出没変位自在であるとともに、カンチレバー構成の各受圧突起が各々独立して左右に弾性変位し得るようになっている。
【００５２】
また本体プレート部の右側面側に形成されたカムプレート部１２３は、本体プレート部から右方に突出して上下に延びるリブ状をなし、その上部には下方に向けて徐々に高さが高くなる係合斜面１２３ｂが形成されている。
【００５３】
一方、Ｓ字レール５２および受圧部材１２０の後方を覆って取り付けられる蓋部材５８には、Ｓ字レール５２と対向する前面側に、Ｓ字レールの左右の通路壁５２Ｌ，５２Ｒと連接して後列側の待機通路５２ｂを形成する左右の後部通路壁５８Ｌ，５８Ｒが形成されるとともに、右枠杆３３の支持面に形成された枠側支軸ボス１１１ａと位置整合して支軸１２５の後端端部を緩挿支持する蓋側軸支ボス１１１ｂが形成されている。なお蓋側軸支ボスの軸受穴を後方に開口させ、蓋部材５８の後面側からネジを挿通させて枠側支軸ボス１１１ａに締め込むように構成してもよい。
【００５４】
また蓋部材５８の後面側には、受圧部材駆動機構１３０のソレノイド１３１を支持するソレノイド支持部１１５が形成され、その下側に駆動伝達具１３３の係合ピン１３３ｂを挿通させるピン挿通孔１１６、および受圧部材の操作摘み１２４を挿通させる摘み挿通孔１１７が形成されている。ソレノイド支持部１１５は、ソレノイド１３１のケース下端角部を支持し、左右の支持壁で挟み込むように位置決め支持する枠状に形成され、このうち右側の支持壁には、固定ネジ１３８を後端側から受容するネジ受容スリット１１５ｓ，１１５ｓが形成されている。またピン挿通孔１１６は、係合ピン１３３ｂの軸径よりも大きめの開口幅でソレノイド１３１の駆動ストロークよりも大きめの開口長さを有する長孔状に形成され、摘み挿通孔１１７は操作摘み１２４の揺動軌跡に合わせた円弧状に形成されている。
【００５５】
受圧部材駆動機構１３０は、この駆動機構の駆動源でありソレノイド駆動信号がONになったときにプッシュロッドを突出作動させるソレノイド１３１、プッシュロッドの下端部に嵌着された駆動伝達具１３３などから構成される。
【００５６】
ソレノイド１３１は、金属製のケース１３１ａと、ケース内に収められた駆動コイル１３１ｂ、駆動コイルの空芯部に上下にスライド変位可能に支持されたプランジャ１３１ｃ、プランジャ１３１ｃの外周部に装着されたリターンスプリング１３１ｄ、プランジャの下端に固着されケース１３１ａから下方に突出して上下にスライド変位可能に支持されたプッシュロッド１３１ｅなどからなり、駆動コイル１３１ｂにソレノイド駆動信号を印加したときにプランジャ１３１ｃが吸引されてプッシュロッド１３１ｅが下方に突出作動され、ソレノイド駆動信号をOFFにしたときにリターンスプリング１３１ｄのバネ力によりプランジャ１３１ｃが引き上げられてプッシュロッド１３１ｅが基準位置に戻るスプリングリターン式の直動型電磁ソレノイドである。駆動コイルの信号線は球払出制御装置８２に接続され、ソレノイド１３１は球払出制御装置８２によって作動が制御される。プッシュロッド１３１ｅの下端部には薄肉円盤状の係止フランジ１３１ｆが固着され、ソレノイド１３１のケース側面にはソレノイド１３１を取り付けるためのネジ穴が上下二カ所に形成されている。
【００５７】
駆動伝達具１３３は、軸端ブロック１３３ａと係合ピン１３３ｂとからなり、軸端ブロック１３３ａには、プッシュロッド先端の係止フランジ１３１ｆを受容して係止する係止スリットが形成されている。係合ピン１３３ｂは滑らかな円柱状のピンであり、プッシュロッドの作動軸と直交方向に延びて設けられている。駆動伝達具１３３は、例えばポリアセタール樹脂やＡＢＳ樹脂などの樹脂材料を用いて射出成型等の成形手段で一体に形成され、あるいは同様の成型方法により形成された軸端ブロック１３３ａにステンレス等の金属製の係合ピン１３３ｂを打ち込んで圧入固着し、または樹脂製の軸端ブロック１３３ａに金属製の係合ピン１３３ｂをインサートモールドする等の手段により一体に形成される。
【００５８】
駆動伝達具１３３は、軸端ブロック１３３の係止スリットに係止フランジを係合させて圧入固定することでプッシュロッド１３１ｅの下端部に固定され、駆動伝達具１３３とソレノイド１３１とが一体化される。そしてソレノイド１３１のケース側面のネジ穴に固定ネジ１３８，１３８を緩く螺合させてケース下端角部をソレノイド支持部１１５の下端角部に位置合わせし、ソレノイド１３１を前方にスライドさせて左右の支持壁間に緩挿させる。すると固定ネジ１３８，１３８がネジ受容スリット１１５ｓ，１１５ｓの溝内を前方にスライドするとともに、駆動伝達具１３３の係合ピン１３３ｂがピン挿通孔１１６を通って蓋部材５８の前面側に突出し、ソレノイド１３１のケース前端面が蓋部材５８の背面係合して位置決めされる。そして上下の固定ネジ１３８を締め込むことで、ソレノイド１３１および駆動伝達具１３３からなる受圧部材駆動機構１３０が蓋部材５８の後面側に取り付けられる。
【００５９】
そこで、Ｓ字レール５２を右枠杆３３の支持面に突出成型された上下の支持ボス３４に緩挿して支持させるとともに、枠側支軸ボス１１１ａに支軸１２５の前端部を嵌入して支持させ、後方に突出する支軸１２５の後端側から受圧部材１２０の軸受部１２１を嵌挿することで受圧部材１２０が支軸１２５に揺動自在に支持される。次いで、このようにＳ字レール５２および受圧部材１２０が支持面に支持された右枠杆３３の後方から、受圧部材駆動機構１３０が取り付けられた蓋部材５８を覆い被せ、操作摘み１２４を摘み挿通部１１７を通し、支軸１２５の後端部を蓋部材前面側の蓋側支軸ボス１１１ｂに嵌挿することで、受圧部材１２０およびＳ字レール５２と受圧部材駆動機構１３０の相対位置が位置決めされる。
【００６０】
そして、蓋部材５８の後面側からネジを挿通し、支持ボス３４、枢支軸３５等にネジ固定することで、Ｓ字レール５２、受圧部材１２０、受圧部材駆動機構１３０、および蓋部材５８等が位置決めされた状態で右枠杆３３に取り付けられ、受圧制御ユニット１００が形成される。そしてソレノイド１３１の信号線を球払出制御装置８２に接続することで、球払出制御機構が形成され受圧制御ユニット１００の作動が球払出制御装置８２によって制御される。
【００６１】
受圧制御ユニット１００の取付状態、すなわちソレノイド駆動信号がOFFの状態では、受圧部材１２０が重力に従って支軸１２５に略鉛直に垂下され、前後の受圧突起１２２ａ，１２２ｂが受圧突起挿通孔１１２ａ，１１２ｂの右方に待避した状態に配設される。また、受圧部材駆動機構１３３の係合ピン１３３ｂは、カムプレート部１２３の上方に位置して係合斜面１２３ｂの基端部近傍に隣接した状態で保持される（図３を参照）。このため、待機通路５２ａ，５２ｂを流下する遊技球は受圧突起１２２ａ，１２２ｂに接触することがなく、待機通路５２ａ，５２ｂを球払出装置５３に向けてそのまま流下する。
【００６２】
従って、図３〜図６に示す揺動角度位置では、受圧制御ユニット１００は受圧部材１２０よりも上流側に貯留された遊技球から作用する圧力を下流側の遊技球にそのまま伝達させる。このように、上流側に貯留された遊技球から作用する圧力を減免させることなく下流側の遊技球にそのまま伝達させる揺動角度位置を解放位置Ｐｆという。球払出制御機構では、遊技球の払い出しが開始される以前においては、原則として受圧部材１２０がこの解放位置Ｐｆに配設されている。
【００６３】
一方、球払出制御機構では遊技球の払い出しが開始されるときに受圧部材駆動機構１３０を作動させ受圧部材１２０を揺動させる。以下では、図８に示した球払出制御機構における制御構成のブロック図、および図９に示したソレノイド１３１と球払出モータ５３ｍのタイミングチャートを参照しながら球払出制御機構の動作を中心に説明する。なお図９における(ａ)(ｂ)(ｃ)の各図は遊技盤２０における入賞条件やＣＲ操作パネル９２の球貸要求ボタンによる球貸しなど、払出条件が相違する場合の制御タイミングを例示したものである。
【００６４】
主制御装置８１には、各入賞具の入賞検出センサ２３ｓ，２４ｓ，２５ｓ，２５ｔから検出信号が入力されており、主制御装置８１は各入賞検出センサから入賞検出信号が入力されたときに、当該入賞検出信号から入賞条件を判断し入賞条件に基づいた払出指令信号を球払出制御装置８２に出力する。例えば、入賞検出信号が一般入賞具２３の入賞検出センサ２３ｓまたは始動入賞具２４の入賞検出センサ２４ｓから入力されたときには、主制御装置８１は、これらの入賞具２３，２４に入賞したときの払出数量が少数個（例えば４個あるいは８個）に該当することを内部メモリーに設定記憶されたテーブルから判断し、当該少数個に対応した払出指令信号Ｃ１を球払出制御装置８２に出力する。また入賞検出信号がアタッカー装置２５の入賞検出センサ２５ｓ，２５ｔから入力されたときには、主制御装置８１は大入賞口に入賞したときの払出数量が多数個（例えば１５個）に該当することを同様に判断し、多数個に対応した払出指令信号Ｃ２を球払出制御装置８２に出力する。
【００６５】
球払出制御装置８２には、主制御装置８１から入力される上記払出指令信号Ｃ１，Ｃ２に加えて、ＣＲ操作パネル９２から球貸要求信号Ｃ３が入力されている。球貸しは一般に２５個を単位として行われており、球貸要求信号Ｃ３は２５個の払い出しを要求する信号である。
【００６６】
球払出制御装置８２にこれらの信号が入力されると、球払出制御装置８２は、まず球有検出センサ５１の検出信号を参照し、払い出しを行うのに充分な数量の遊技球が待機通路の上部まで貯留待機されているか否かを判断する。そして検出信号が球無し状態であるとき（例えば球有検出センサ５１の接点がオープンのとき）には主制御装置８１に球切れ信号を出力し、主制御装置８１は、球払出装置５３の作動を規制するとともに、パチンコ機前面の球切れ表示ランプを点灯させ、またターミナル基板８５を介して遊技施設側の管理装置に球切れ信号を出力するなどのアラームを発生する。
【００６７】
一方、球有検出センサ５１の検出信号が球有り状態であるとき（球有検出センサ５１の接点がクローズのとき）には、受圧制御ユニット１００および球払出装置５３にそれぞれ駆動信号を出力して遊技球の払い出しを行わせる。
【００６８】
ところで、球払出制御装置８２に入力された払出指令信号Ｃ１，Ｃ２および球貸要求信号Ｃ３は、それぞれ異なる個数の払い出しを求める信号である。そこで球払出制御装置８２は入力された払出指令信号等Ｃ（Ｃ１，Ｃ２，Ｃ３）から、払い出すべき数量（払出条件）に応じたモータ駆動信号Ｍ１，Ｍ２，Ｍ３を生成し、球払出装置５３の球払出モータ５３ｍに出力する。また球払出制御装置８２は、受圧制御ユニット１００のソレノイド１３１を駆動するソレノイド駆動信号Ｓ１，Ｓ２，Ｓ３を生成し、ソレノイド１３１に出力する。
【００６９】
図９(１)(２)(３)に、それぞれ球払出数量が少数個(１)、多数個(２)、球貸し(３)で、それぞれ複数回連続動作させたとき（複数の払出指令信号等Ｃが蓄積されて連続払出状態のとき）のモータ駆動信号Ｍ１，Ｍ２，Ｍ３と、ソレノイド駆動信号Ｓ１，Ｓ２，Ｓ３との関係をタイミングチャートで示すように、ソレノイド駆動信号Ｓ（Ｓ１，Ｓ２，Ｓ３）はモータ駆動信号Ｍ（Ｍ１，Ｍ２，Ｍ３）と同期して、モータ駆動信号Ｍが出力される直前（換言すれば球払出モータ５３ｍの回転起動前）にONになり、モータ駆動信号Ｍが出力されて所定時間経過後（球払出モータ５３ｍの回転起動後）にOFFになるパルス状の駆動信号である。
【００７０】
すなわちソレノイド駆動信号ＳがONされる時点では、球払出モータ５３ｍは未だ回動しておらず、整列通路４２ａ，４２ｂおよび待機通路５２ａ，５２ｂには、遊技球が前後二列に整列されて上流の球貯留タンク４１から下流の球払出装置５３まで密に繋がった状態で貯留されている。
【００７１】
ソレノイド駆動信号ＳがONになると、ソレノイドのプッシュロッド１３１ｅが下方に押し出されて駆動伝達具１３３を下動させ、係合ピン１３３ｂがカムプレート部の係合斜面１２３ｂと係合してカムプレート部１２３を左方に押圧する。このため受圧部材１２０が支軸１２５を中心として時計廻りに揺動され、受圧突起１２２ａ，１２２ｂが受圧突起挿通部１１２ａ，１１２ｂを通って待機通路５２ａ，５２ｂに突出する（図３→図１０）。
【００７２】
このため、待機通路５２ａ，５２ｂに整列状態で停留していた遊技球は、図１０に示すように受圧突起１２２ｂ（１２２ａ）に押し止められて係止され、または図１１に示すように受圧突起１２２ｂ（１２２ａ）の先端部と通路壁５２Ｌとの間に挟み込まれて係止保持される。
【００７３】
ここで、ソレノイド１３１には、反力としてケースを反時計廻りに回動させる方向にモーメントが作用するが、ソレノイド支持部１１５はケースの左右両面を支持する壁面構成のため、ソレノイド自身が回動されてしまうようなことがない。また、直動型ソレノイドの実動ストロークは、プランジャの移動位置における発生推力と反力とが釣り合う平衡点で規定され、図１１に示すように遊技球が挟持された状態では、ソレノイド１３１の発生推力と遊技球の球圧とがバランスした状態で保持される。このため、図１０および図１１のいずれの状態でもソレノイド１３１や駆動伝達具１３３、受圧部材１２０等に無理な負荷を作用させることなく、遊技球が受圧突起１２２ａ，１２２ｂの先端部に係合された状態で弾性的に係止保持される。
【００７４】
さらに、受圧部材１２０では、本体プレート部の下部中間領域が切り欠かれて、各々独立して左右に弾性変位し得るカンチレバー状に形成されている。このため、例えば前後の待機通路５２ａ，５２ｂに整列待機する遊技球の停留位置が異なっていても（例えば停留位置が半ピッチ程度ずれていても）、前後各々のカンチレバー部が停留位置の差異に応じて弾性変形して受け止め、前後の各受圧突起１２２ａ，１２２ｂが弾性的に遊技球を係止保持し得るようになっている。
【００７５】
これにより、上流側に貯留された遊技球から作用する圧力が受圧部材１２０に受け止められ、上流側からの圧力が下流側の遊技球に作用することがない。このように、上流側に貯留された遊技球から作用する圧力を受圧部材１２０が受け止めて、下流側に位置する遊技球への圧力を減免させる揺動角度位置（本実施形態においては免除させる揺動角度位置）を受圧位置Ｐｒという。
【００７６】
受圧部材１２０が受圧位置Ｐｒに変位した状態では、受圧部材１２０よりも下流側に位置する遊技球に作用する圧力が大幅に軽減され、球払出モータ５３ｍには、このように圧力が軽減された状態、より具体的には受圧突起１２２ａ，１２２ｂと球送り回転体５３ｒとの間に位置するわずか数球の自重程度に軽減された状態で、球払出制御装置８２からモータ駆動信号Ｍが出力される。
【００７７】
モータ駆動信号Ｍ１，Ｍ２，Ｍ３は、払い出し数量に相当する回転角度分、球送り回転体５３ｒを時計廻りまたは反時計廻りに回動させる信号であり、例えば少数個の払出指令信号Ｃ１が４個の場合には球払出モータを２４０度、８個の場合には４８０度、時計廻りに回動させるモータ駆動信号Ｍ１を出力して球送り回転体５３ｒを回動させ、右側の払出口５３ｄから球払出通路６０に払い出す。多数個の払出信号の場合も同様であり、１５個の払出指令信号Ｃ２に対して球払出モータを９００度（２．５回転）時計廻りに回動させるモータ駆動信号Ｍ２を出力して球送り回転体５３ｒを回動させ、右側の払出口５３ｄから球払出通路６０に払い出す。また球貸要求信号Ｃ３（２５個）の場合には、球払出モータを１５００度（４回転と６０度）反時計廻りに回動させるモータ駆動信号Ｍ３を出力して球送り回転体５３ｒを回動させ、左側の払出口５３ｃから球払出通路６０に払い出す。
【００７８】
モータ駆動信号Ｍが出力されて所定時間（例えば２０〜１００ms程度の時間）の経過後、球払出制御装置８２はソレノイド駆動信号ＳをOFFにする。ソレノイド駆動信号がOFFになると、ソレノイド１３１のプランジャ外周部に装着されたリターンスプリング１３１ｄの弾性力によりプランジャが押し戻されて駆動伝達具１３３が基準位置に戻り、遊技球の球圧により受圧部材１２０が反時計廻りに揺動されて受圧突起１２２ａ，１２２ｂが受圧突起挿通部１１２ａ，１１２ｂの右方の解放位置Ｐｆに戻り、それまで受圧突起に係止されていた遊技球が待機通路５２ａ，５２ｂを流下する。そして球送り回転体５３ｒの回転起動に伴って待機通路５２ａ，５２ｂを下動する遊技球に追いつき滑らかに払い出される。
【００７９】
こうして球払出口５３ｃ，５３ｄから払い出された遊技球は、左右の球計数センサ５４，５４により通過が検出され、球払出制御装置８２は球計数センサ５４から入力された検出信号から払い出された遊技球の実数をカウントしてモータ駆動信号Ｍに係る目標数量と比較し、球払出モータ５３ｍの作動を制御する。これにより、遊技盤２０における入賞条件やＣＲ操作パネル９２から入力される球貸要求等の払出条件に応じた数量の遊技球が球払出通路６０に払い出され、球払出通路６０を転動流下して上球皿６または下球皿７に払い出される。
【００８０】
遊技球の払い出し作動は、払出指令信号Ｃが複数蓄積されている場合、例えば払出指令信号Ｃ２がｎ個蓄積されている場合には、各払出指令信号Ｃ２に対応して１作動ずつｎ回繰り返して行われ、ソレノイド駆動信号Ｓ２はモータ駆動信号Ｍ２の出力ごとに、モータ駆動信号Ｍ２の立ち上がりに先立って出力される。このため、球払出装置５３にとって最も大きな回転トルクが必要とされる回転起動時に、受圧部材１２０が上流側の遊技球の圧力を受けて球払出モータ５３ｍに対する作用する負荷をわずか数球の自重程度に軽減させ、これにより、小型のモータを用いた球払出装置でも適正な払出作動を確保することができる。また球払出モータ５３ｍのみならず、球送り回転体５３ｒや受容口等に対する負荷をも極めて大幅に軽減できるため、長期間安定して作動させることができる。
【００８１】
なお、裏セット盤３０の背面側における視認可能な位置、例えば球払出装置５３の側部やソレノイド近傍の窓口側面にLED等の発光素子１３７を設けるとともに、球払出制御装置８２から発光素子１３７を点滅させる発光制御信号をソレノイド駆動信号Ｓと同時に出力させ、ソレノイド１３１の駆動時に発光素子を点灯させるように構成することも好ましい。このような構成によればソレノイド１３１の駆動時、すなわち受圧部材１２０が受圧位置Ｐｒに揺動されたときに発光素子１３７が点灯され、受圧制御ユニット１００の作動状況を裏セット盤３０の背面側から容易に目視確認することができる。
【００８２】
球払出制御機構には、以上説明した球払出モータ５３ｍの回転起動時の負荷を軽減させる圧力制御機能に加えて、遊技球の流下を人為的に止め得る球止め機能が具備されている。この機能は、球止め構造１４０により実現され、例えば球払出装置５３の点検作業や交換作業などのように、球貯留タンク４１に貯留された遊技球を全量球抜きする必要がなく、かつ上部球抜き機構では抜ききれない待機通路内の遊技球を球抜きするときに利用される。
【００８３】
球止め構造１４０は、右枠杆３３の支持面に形成された枠側キー支持孔１４１ａ、蓋部材に形成された蓋側キー支持孔１４１ｂ、受圧部材１２０に形成された操作摘み１２４、および受圧部材１２０を球止め位置に係止保持させるハートキー１４５などから構成される。
【００８４】
枠側キー支持孔１４１ａおよび蓋側キー支持孔１４１ｂは、Ｓ字レール５２における受圧突起挿通孔１１２ａ，１１２ｂの斜め上方に位置してハートキー１４５を挿通可能に形成され、受圧部材１２０の揺動角度位置との関係では、図１２に示すように、受圧突起１２２ｂ（１２２ａ）が受圧突起挿通孔１１２ｂ（１１２ａ）の開口端面に当接する程度の揺動角度位置（球止め位置Ｐｓという）まで変位させた状態で本体プレート部の右側に位置し、ハートキー１４５を挿通させたときに、本体プレート部の右側面およびカムプレート部１２３の下端縁面と係合するように形成されている。なおハートキー１４５は、線径1.5〜2mm、長さ80〜100mm程度の金属製のピンであり、前述した球抜き操作等を行うため、遊技施設の係員が施錠装置４の鍵とともに常時携行する作業用の操作ピンである。
【００８５】
また、前述したように、受圧部材１２０には本体プレート部から後方に突出して操作摘み１２４が形成され、蓋部材５８には操作摘みの揺動軌跡に合わせた円弧状の摘み挿通孔１１７が開口形成されて、操作摘み１２４が蓋部材５８の後面側に突出した状態で配設されている。
【００８６】
このため、操作摘み１２４に指を掛けて左方に押圧操作することで、受圧部材１２０を時計廻りに揺動させて球止め位置Ｐｓ変位させることができる。そこでハートキー１４５を蓋側キー支持孔１４１ｂに挿入して先端部を枠側キー支持孔１４１ａに緩挿支持させと、ハートキー１４５が受圧部材１２０の右側に位置して配設され、本体プレート部の右側面およびカムプレート部１２３の下端縁面と係合して、受圧部材１２０が球止め位置Ｐｓにロック保持される。これにより、上流側に停留された遊技球は、待機通路５２ａ，５２ｂに突出配設された前後の受圧突起１２２ａ，１２２ｂにより堰き止められ、下流側への流下が規制される。
【００８７】
この状態では、受圧部材１２０が受圧突起挿通孔１１２ａ，１１２ｂとハートキー１４５との間に挟持されるとともに、ハートキー１４５は、左に下傾する本体プレート部の右側面と右に下傾するカムプレート部１２３の下端縁面との交点近傍で両面と係合して係止保持される。このため、例えば裏セット盤３０が揺らされたり、上流側に貯留された遊技球から作用する圧力が変動したりしても、受圧部材１２０が解放位置Ｐｆ側に戻ってしまうようなことがない。
【００８８】
そこで、遊技施設の係員は、一般入賞具２３や始動入賞具２４に遊技球を落入させ、あるいはアタッカー装置２５の開閉扉開かせて大入賞口に遊技球を投入し、またはＣＲ操作パネル９２の球貸要求ボタンを押圧操作するなどにより、球払出装置５３を作動させて遊技球を払い出させることで、受圧突起１２２ａ、１２２ｂと球送り回転体５３ｒとの間に停留する遊技球を短時間で全量球抜きすることができ、球払出装置５３内の遊技球を完全に排出させた状態で、球払出装置５３の点検作業や交換作業などを容易に行うことができる。
【００８９】
球払出装置５３の点検作業等を終えた後、球止め状態を解除するには、操作摘み１２４を軽く支えてハートキー１４５を後方に抜去し、支えていた操作摘み１２４を緩やかに放せばよい。すると待機通路５３ａ，５３ｂ停留された遊技球の球圧で受圧部材１２０が反時計廻りに揺動し、前後の受圧突起１２２ａ，１２２ｂが受圧突起挿通孔１１２ａ，１１２ｂの右方に待避した解放位置Ｐｆに復帰する。
【００９０】
従って、以上説明したような球払出制御機構によれば、小型のモータを用いた球払出装置でも適正な払出作動を確保することができるため、装置の小型化および低廉化を実現でき、また負荷を軽減することで長期間安定して作動させ得る払出制御機構を提供することができる。また、受圧部材を球止め位置に変位させて係止させる簡明な装置構成で、保守作業性の良好な払出制御機構を提供することができる。
【００９１】
図１３は、Ｓ字レールおよび受圧部材の支持機構部に関する変更例を分解斜視図で示したものである。まず上述したＳ字レール５２では、後列側の待機通路５２ｂにおける左右の通路壁５２Ｌ，５２Ｒの後端部分５８Ｌ，５８Ｒが蓋部材５８に形成されていたが、本構成例のＳ字レール５２′では、これらをＳ字レール５２′側にまとめて形成しており、これにより仕切壁５２ｗを挟む前後面を対称に構成するとともに蓋部材５８′の前面形態を簡明化することができる。また右枠杆３３の支持面と蓋部材５８の前面とに分離して形成されていた支軸部１１１ａ，１１１ｂを、Ｓ字レール５２′の仕切壁５２ｗに支軸部１１１′として一体に形成するとともに、揺動部材１２０′の軸受部１２１′を支軸部１１１′を挟む前後に形成して受圧部材１２０をＳ字レール５２′に部分組立可能とし、受圧部材１２０′の組み付けを容易化している。さらに、カムプレート部１２３に球止め位置Ｐｓでハートキー１４５を挿通させるキー挿通孔１２３ｃを形成し、球止め位置でのハートキー１４５による係止保持をより強化した構成になっている。
【００９２】
次に、第２構成形態の球払出制御機構について説明する。この球払出制御機構は、上述した第１構成形態の球払出制御機構と受圧制御ユニットの構成のみが異なり、パチンコ機本体の基本構成や球払出制御装置などの構成は既述したパチンコ機ＰＭと同様である。そこで共通する構成部分については図１４〜図２４の各図に同一番号を付して重複説明を省略し、相違する構成部分を中心に第２構成形態の受圧制御ユニット２００について詳細に説明する。
【００９３】
なお、図１４は第２構成形態の球払出制御機構を備えたパチンコ機の背面図、図１５は球払出制御機構を含む裏セット盤の右枠杆３３部分の背面図、図１６は受圧制御ユニット２００を右斜め後方から見た分解斜視図、図１７は受圧制御ユニット２００および球払出装置５３を主として示す右側断面図、図１８は図１５中のXVIII−XVIII矢視方向に見た平断面図、図１９は受圧部材を球止め位置に係止した状態で図１５中のXIX−XIX矢視方向に見た平断面図、図２０は球払出制御機構を含む裏セット盤の右枠杆３３部分の正面図、図２１および図２２は受圧部材を受圧位置に変位させたときの遊技球の係止状態を示す背面図、図２３はハートキーにより球止め状態にしたときの受圧制御ユニット２００の背面図である。
【００９４】
受圧制御ユニット２００は、大別的には、Ｓ字レール５２と隣接して揺動可能に支持され、上流側に貯留された遊技球から作用する圧力を受け止めて下流側の遊技球に作用する圧力を減免させる受圧位置Ｐｒ、上流側に貯留された遊技球から作用する圧力を減免させずに下流側の遊技球にそのまま伝達させる解放位置Ｐｆ、および上流側に貯留された遊技球を堰き止めて遊技球が下流側に流下することを規制する球止め位置Ｐｓに変位可能に設けられた受圧部材２２０、受圧部材２２０を受圧位置または解放位置に変位させる受圧部材駆動機構２３０、受圧部材２２０を球止め位置に係止させる球止め構造１４０などから構成される。
【００９５】
Ｓ字レール５２は、既述した第１構成形態のＳ字レール５２と同様に構成されており、球払出装置５３の直上に位置する屈曲部、すなわち待機通路５２ａ，５２ｂの終端の屈曲部に、受圧部材２２０の前後の受圧突起２２２ａ，２２２ｂを挿通させる受圧突起挿通部１１２ａ，１１２ｂが形成されている。後列側の待機通路５２ｂにおける左右通路壁の後部は蓋部材５８に形成されており、後列側の受圧突起挿通部１１２ｂは後方に開いた切り欠き状になっている。
【００９６】
受圧部材２２０は、基板となる本体プレート部の上端部に形成された軸受部２２１、本体プレート部の下端部に突出成型された前後二カ所の受圧突起２２２ａ，２２２ｂ、本体プレート部の右側面中央部に形成されたカムプレート部２２３、本体プレート部から後方に突出成型された軸状の操作摘み２２４などからなり、ガラス繊維または炭素繊維を添加してじん性を強化したＡＢＳ樹脂やナイロン樹脂ポリアセタール樹脂などの樹脂材料を射出成型等の成形手段により一体成型して構成される。
【００９７】
本体プレート部の上端部に形成された軸受部２２１は、本体プレート部と滑らかに繋がって前後に延びる円筒状に形成されており、その軸心には支軸１２５の外径よりもわずかに大きめの内径を有して前後連通する軸受孔が形成されている。右枠杆３３の支持面には支軸１２５の外径と同径またはわずかに小さめの内径を有する枠側軸支ボス１１１ａが形成されている。
【００９８】
本体プレート部の下部領域は、前後中間部が切り欠かれてそれぞれ下方に延びるカンチレバー状に形成され、その下端部に受圧突起挿通部１１２ａ，１１２ｂの開口位置および形状に合わせて鉤状の受圧突起２２２ａ，２２２ｂが形成されている。このため、枠側支持ボス１１１に嵌合支持させた支軸１２５に軸受部２２１を緩挿支持させて受圧部材２２０を揺動させたときに、前後の受圧突起２２２ａ，２２２ｂが各受圧突起挿通部１１２ａ，１１２ｂを通って左右に出没変位自在であるとともに、カンチレバー構成の各受圧突起が各々独立して左右に弾性変位し得るようになっている。
【００９９】
また本体プレート部の右側面側に形成されたカムプレート部２２３は、本体プレート部から右方に突出して上下に延びるリブ状をなし、その上部には下方に向けて徐々に高さが高くなる係合斜面２２３ｂが形成されている。
【０１００】
受圧部材２２０およびＳ字レール５２の後方を覆って取り付けられる蓋部材５８には、Ｓ字レール５２と対向する前面側に、Ｓ字レールの左右の通路壁５２Ｌ，５２Ｒと連接して後列側の待機通路５２ｂを形成する左右の後部通路壁５８Ｌ，５８Ｒが形成されるとともに、右枠杆３３の支持面に形成された支軸ボス１１１ａと位置整合して支軸１２５の後端端部を緩挿支持する蓋側軸支ボス１１１ｂが形成されている。また蓋部材５８には受圧部材２２０を支軸１２５に支持させたときの操作摘み２２４の揺動軌跡に合わせた円弧状の挿通孔２１７が蓋部材５８の表裏を貫通して形成されている。
【０１０１】
そこで、Ｓ字レール５２を右枠杆３３の支持面に突出成型された上下の支持ボス３４に緩挿して支持させるとともに、枠側支軸ボス１１１ａに支軸１２５の前端部を嵌入して支持させ、後方に突出する支軸１２５の後端側から受圧部材２２０の軸受部２２１を嵌挿することで受圧部材２２０が支軸１２５に揺動自在に支持される。次いで、このようにＳ字レール５２および受圧部材２２０が支持面に支持された右枠杆３３の後方から、蓋部材５８を覆い被せて操作摘み２２４を摘み挿通部２１７に挿通させ、支軸１２５の後端部を蓋部材前面側の蓋側支軸ボス１１１ｂに嵌挿することで、Ｓ字レール５２と受圧部材２２０とが右枠杆３３に位置決めされる。そして、蓋部材５８の後面側からネジを挿通し、支持ボス３４、枢支軸３５等にネジ固定することで、Ｓ字レール５２、受圧部材２２０および蓋部材５８等が位置決めされた状態で右枠杆３３の後面側に取り付けられる。
【０１０２】
一方、右枠杆３３の前面側には、基枠体３１の剛性を確保し枠体強度を高めるための枠壁１１４が窓口３２の周囲を囲むように形成されており、この枠壁１１４の下部に受圧部材駆動機構２３０のソレノイド２３１を支持するソレノイド支持部２１５が形成されている。また、右枠杆３３を前後に仕切る支持面に駆動伝達具２３３の係合ピン２３３ｂを挿通させるピン挿通孔２１６が形成されている。ソレノイド支持部２１５は、ソレノイド２３１のケースを支持する枠状に形成され、窓口側の側壁面にソレノイド２３１を固定するための固定ネジ２３８を前端側から受容するネジ受容スリット２１５ｓ，２１５ｓが形成されている。ピン挿通孔２１６は、係合ピン２３３ｂの軸径よりも大きめの開口幅でソレノイド２３１の駆動ストロークよりも大きめの開口長さを有する長孔状になっている。
【０１０３】
受圧部材駆動機構２３０は、この駆動機構の駆動源でありソレノイドの駆動信号がONになったときにプランジャを引き込み作動するソレノイド２３１、プランジャの先端部に嵌着された駆動伝達具２３３、ソレノイド２３１の金属ケースと駆動伝達具２３３との間のプランジャ外周部に装着されてソレノイドの駆動信号がOFFになったときにプランジャを基準位置に押し戻すリターンスプリング２３４などから構成される。
【０１０４】
ソレノイド２３１は、金属製のケース２３１ａと、ケース内に収められた駆動コイル２３１ｂ、および駆動コイルの空芯部をスライド変位可能に支持されたプランジャ２３１ｃを有し、駆動コイル２３１ｂにソレノイド駆動信号を印加したときにプランジャ２３１ｃが引き込み作動される直動型の電磁ソレノイドである。駆動コイルの信号線は球払出制御装置８２に接続され、ソレノイド２３１は球払出制御装置８２によって作動が制御される。プランジャ２３１ｃの先端部は外周面が一部平坦に面取りされて軸端係止部が形成され、ケース２３１ａの側面にはソレノイド２３１を取り付けるためのネジ穴が上下二カ所に形成されている。
【０１０５】
駆動伝達具２３３は、軸端ブロック２３３ａと係合ピン２３３ｂとからなり、軸端ブロック２３３ａには、プランジャ先端の軸端係止部と同一の断面形状でわずかに小さめの取付孔が形成されている。係合ピン２３３ｂは滑らかな円柱状のピンであり、取付孔の軸線と直交方向に延びて設けられている。駆動伝達具２３３は、例えばアルミダイキャスト等の成型手段により一体に形成され、あるいは同様の成型方法により形成された軸端ブロック２３３ａにステンレス等の金属製の係合ピン２３３ｂを圧入固着し、または樹脂製の軸端ブロック２３３ａに金属製の係合ピン２３３ｂをインサートモールドする等の手段により一体に形成される。
【０１０６】
受圧部材駆動機構２３０は、プランジャ２３１ｃの外周部にリターンスプリング２３４を装着して支持させ、プランジャ先端の軸端係止部に軸端ブロック２３３の取付孔を係合させて圧入固定することでスプリングリターン型の駆動機構が部分組立される。そしてケース２３１ｂ側面のネジ穴に固定ネジ２３８，２３８を緩く螺合させてソレノイド支持部２１５の下端角部に位置合わせし、ソレノイド２３１を後方（右枠杆３３の支持面方向）にスライドさせる。すると固定ネジ２３８，２３８がネジ受容スリット２１５ｓ，２１５ｓの溝内を後方にスライドするとともに、駆動伝達具２３３の係合ピン２３３ｂが支持面のピン挿通孔２１６を通って後方に突出し、ソレノイド２３１のケース後端面が支持面と係合して位置決めされる。そこで、窓口３２の内側から上下の固定ネジ２３８を締め込むことで、受圧部材駆動機構２３０が右枠杆３３における支持面の前面側に取り付けられる。
【０１０７】
これにより、Ｓ字レール５２、受圧部材１２０、蓋部材５８、および受圧部材駆動機構１３０が位置決めされた状態で右枠杆３３に取り付けられ、受圧制御ユニット２００が形成される。そしてソレノイド２３１の信号線を球払出制御装置８２に接続することで、球払出制御機構が形成され受圧制御ユニット２００の作動が球払出制御装置８２によって制御される。
【０１０８】
受圧制御ユニット２００の取付状態、すなわちソレノイド駆動信号がOFFの状態では、受圧部材２２０が重力に従って支軸１２５に略鉛直に垂下され、前後の受圧突起２２２ａ，２２２ｂが受圧突起挿通孔１１２ａ，１１２ｂの右方に待避した状態に配設される。また、受圧部材駆動機構２２３の係合ピン２３３ｂは、カムプレート２２３の上方に位置して係合斜面２２３ｂの基端部近傍に隣接した状態で保持される（図１５を参照）。このため、待機通路５２ａ，５２ｂを流下する遊技球は受圧突起２２２ａ，２２２ｂに接触することがなく、待機通路５２ａ，５２ｂを球払出装置５３に向けてそのまま流下する。
【０１０９】
従って、図１５〜図１８に示す揺動角度位置では、受圧制御ユニット２００は受圧部材２２０よりも上流側に貯留された遊技球から作用する圧力を下流側の遊技球にそのまま伝達させる。このように、上流側に貯留された遊技球から作用する圧力を減免させることなく下流側の遊技球にそのまま伝達させる揺動角度位置を解放位置Ｐｆという。球払出制御機構では、遊技球の払い出しが開始される以前においては、原則として受圧部材２２０がこの解放位置Ｐｆに配設されている。
【０１１０】
一方、球払出制御機構では遊技球の払い出しが開始されるときに受圧部材駆動機構２３０を作動させ受圧部材２２０を揺動させる。この受圧部材駆動機構２３０の作動制御は、球払出制御装置８２によって行われ、図８および図９を参照して既に説明した第１構成形態の受圧部材駆動機構１３０の作動制御と同様である。そこで、以下では本構成形態の球払出制御機構の作用について確認的に要約説明する。
【０１１１】
遊技盤２０において遊技球がいずれかの入賞具２３，２４，２５に入賞すると、各入賞具に設けられた入賞検出センサ２３ｓ，２４ｓ，２５ｓ，２５ｔから入賞検出信号が主制御装置８１に入力され、主制御装置８１は入賞条件に基づいた払出指令信号Ｃ１，Ｃ２を球払出制御装置８２に出力する。またＣＲ操作パネル９２で球貸要求ボタンが操作されるとＣＲ操作パネル９２は球貸要求信号Ｃ３を払出制御装置８２に出力する。
【０１１２】
球払出制御装置８２にこれらの払出指令信号等Ｃ（Ｃ１，Ｃ２，Ｃ３）が入力されると、球払出制御装置８２は、球有検出センサ５１の検出信号を参照し、検出信号が球無し状態であるときには主制御装置８１に球切れ信号を出力してアラームを発生させ、球有り状態であるときには、受圧制御ユニット２００および球払出装置５３に払出条件に応じたモータ駆動信号Ｍ（Ｍ１，Ｍ２，Ｍ３）を出力して遊技球の払い出しを行わせる。また球払出制御装置８２は、受圧制御ユニット２００のソレノイド２３１を駆動するソレノイド駆動信号Ｓ（Ｓ１，Ｓ２，Ｓ３）を生成し、ソレノイド２３１に出力する。
【０１１３】
図９(１)(２)(３)に示したように、ソレノイド駆動信号Ｓ（Ｓ１，Ｓ２，Ｓ３）はモータ駆動信号Ｍ（Ｍ１，Ｍ２，Ｍ３）と同期して、モータ駆動信号Ｍが出力される直前（球払出モータ５３ｍの回転起動前）にONになり、モータ駆動信号Ｍが出力されて所定時間経過後（球払出モータ５３ｍの回転起動後）にOFFになるパルス状の駆動信号である。すなわちソレノイド駆動信号ＳがONされる時点では、球払出モータ５３ｍは未だ回動しておらず、整列通路４２ａ，４２ｂおよび待機通路５２ａ，５２ｂには、遊技球が前後二列に整列されて上流の球貯留タンク４１から下流の球払出装置５３まで密に繋がった状態で貯留されている。
【０１１４】
ソレノイド駆動信号ＳがONになると、ソレノイドのプランジャ２３１ｃが引き込まれて駆動伝達具２３３を下動させ、係合ピン２３３ｂがカムプレートの係合斜面２２３ｂと係合してカムプレート２２３を左方に押圧する。このため受圧部材２２０が支軸１２５を中心として時計廻りに揺動され、受圧突起２２２ａ，２２２ｂが受圧突起挿通部１１２ａ，１１２ｂを通って待機通路５２ａ，５２ｂに突出する（図１５→図２１）。このため、待機通路５２ａ，５２ｂに整列状態で停留していた遊技球は、図２１に示すように受圧突起２２２ｂ（２２２ａ）に押し止められて係止され、または図２２に示すように受圧突起２２２ｂ（２２２ａ）の先端部と通路壁５２Ｌとの間に挟み込まれて係止保持される。
【０１１５】
ここで、直動型ソレノイドの実動ストロークは、プランジャの移動位置における発生推力と反力とが釣り合う平衡点で規定され、図２２に示すように遊技球が挟持された状態では、ソレノイド２３１の発生推力と遊技球の球圧とがバランスした状態で保持される。このため、図２１および図２２のいずれの状態でもソレノイド２３１や駆動伝達具２３３、受圧部材２２０等に無理な負荷を作用させることなく、遊技球が受圧突起２２２ａ，２２２ｂの先端部に係合された状態で弾性的に係止保持される。
【０１１６】
また、受圧部材２２０では、本体プレート部の下部中間領域が切り欠かれて、各々独立して左右に弾性変位し得るカンチレバー状に形成されている。このため、例えば前後の待機通路５２ａ，５２ｂに整列待機する遊技球の停留位置が異なっていても（例えば停留位置が半ピッチ程度ずれていても）、前後各々のカンチレバー部が停留位置の差異に応じて弾性変形して受け止め、前後の各受圧突起２２２ａ，２２２ｂが弾性的に遊技球を係止保持し得るようになっている。
【０１１７】
これにより、上流側に貯留された遊技球から作用する圧力が受圧部材２２０に受け止められて下流側の遊技球に作用することがない。このように、受圧部材２２０が上流側の遊技球から作用する圧力を受け止めて、下流側に位置する遊技球への圧力を減免させる（本実施形態においては免除させる）受圧位置Ｐｒに変位した状態では、受圧部材２２０よりも下流側に位置する遊技球に作用する圧力が大幅に軽減され、球払出モータ５３ｍにはこのように圧力が軽減された状態、具体的には受圧突起２２２ａ，２２２ｂと球送り回転体５３ｒとの間に位置するわずか数球の自重程度に軽減された状態で、球払出制御装置８２からモータ駆動信号Ｍが出力される。
【０１１８】
モータ駆動信号Ｍ（Ｍ１，Ｍ２，Ｍ３）は、払い出し数量に相当する回転角度分、球送り回転体５３ｒを時計廻りまたは反時計廻りに回動させる信号であり、例えば払出指令信号Ｃ１が４個の場合には２４０度、８個の場合には４８０度球払出モータ５３ｍを時計廻りに回動させるモータ駆動信号Ｍ１を、球払出指令信号Ｃ２が１５個の場合には９００度（２．５回転）、球払出モータ５３ｍを時計廻りに回動させるモータ駆動信号Ｍ２を出力して球送り回転体５３ｒを回動させ、右側の払出口５３ｄから球払出通路６０に払い出させる。また球貸要求信号Ｃ３（２５個）の場合には、球払出モータを１５００度（４回転と６０度）反時計廻りに回動させるモータ駆動信号Ｍ３を出力して球送り回転体５３ｒを回動させ、左側の払出口５３ｃから球払出通路６０に払い出させる。
【０１１９】
モータ駆動信号Ｍが出力されて所定時間（例えば２０〜１００ms程度の時間）の経過後、球払出制御装置８２はソレノイド駆動信号ＳをOFFにする。ソレノイド駆動信号がOFFになると、ソレノイド２３１のリターンスプリング２３４の弾性力によりプランジャが押し上げられて駆動伝達具２３３が基準位置に戻り、遊技球の球圧により受圧部材２２０が反時計廻りに揺動されて受圧突起２２２ａ，２２２ｂが受圧突起挿通部１１２ａ，１１２ｂの右方の解放位置Ｐｆに戻り、それまで受圧突起に係止されていた遊技球が待機通路５２ａ，５２ｂを流下する。そして球送り回転体５３ｒの回転起動に伴って待機通路５２ａ，５２ｂを下動する遊技球に追いつき滑らかに払い出される。
【０１２０】
こうして球払出口５３ｃ，５３ｄから払い出された遊技球は、左右の球計数センサ５４，５４により通過が検出され、球払出制御装置８２は球計数センサ５４から入力された検出信号から払い出された遊技球の実数をカウントしてモータ駆動信号Ｍに係る目標数量と比較し、球払出モータ５３ｍの作動を制御する。これにより、遊技盤２０における入賞条件やＣＲ操作パネル９２から入力される球貸要求等の払出条件に応じた数量の遊技球が球払出通路６０に払い出され、球払出通路６０を転動流下して上球皿６または下球皿７に払い出される。
【０１２１】
遊技球の払い出し作動は、払出指令信号Ｃが複数蓄積されている場合には、各払出指令信号に対応して１作動ずつ繰り返して行われ、ソレノイド駆動信号Ｓはモータ駆動信号Ｍの出力ごとに、モータ駆動信号Ｍの立ち上がりに先立って出力される。このため、球払出装置５３にとって最も大きな回転トルクが必要とされる回転起動時に、受圧部材２２０が上流側の遊技球の圧力を受けて球払出モータ５３ｍに対する作用する負荷をわずか数球の自重程度に軽減させ、これにより小型のモータを用いた球払出装置でも適正な払出作動を確保することができる。また球払出モータ５３ｍのみならず、球送り回転体５３ｒや受容口等に対する負荷をも極めて大幅に軽減できるため、長期間安定して作動させることができる。
【０１２２】
なお、裏セット盤３０の背面側における視認可能な位置にLED等の発光素子１３７を設けてソレノイド駆動信号Ｓと同時に出力させ、ソレノイド２３１の駆動時に発光素子を点灯させるように構成することも好ましい。このような構成によればソレノイド２３１の駆動時、すなわち受圧部材２２０が受圧位置Ｐｒに揺動されたときに発光素子１３７が点灯され、受圧制御ユニット２００の作動状況を裏セット盤３０の背面側から容易に目視確認することができる。
【０１２３】
球払出制御機構には、以上説明した球払出モータ５３ｍの回転起動時の負荷を軽減させる圧力制御機能に加えて、遊技球の流下を人為的に止め得る球止め機能が具備されている。この機能は、前述した構成形態と同様の球止め構造１４０により実現され、球貯留タンク４１に貯留された遊技球を全量球抜きする必要がなく、かつ上部球抜き機構では抜ききれない待機通路内の遊技球を球抜きするときに利用される。球止め構造１４０は、右枠杆３３の支持面に形成された枠側キー支持孔１４１ａ、蓋部材に形成された蓋側キー支持孔１４１ｂ、受圧部材２２０に形成された操作摘み２２４、および受圧部材２２０を球止め位置に係止保持させるハートキー１４５などから構成される。
【０１２４】
枠側キー支持孔１４１ａおよび蓋側キー支持孔１４１ｂは、Ｓ字レール５２における受圧突起挿通孔１１２ａ，１１２ｂの斜め上方に位置してハートキー１４５を挿通可能に形成される。これらのキー支持孔は、図２３に示すように、受圧突起２２２ｂ（２２２ａ）が受圧突起挿通孔１１２ｂ（１１２ａ）の開口端面に当接する程度の揺動角度位置（球止め位置Ｐｓ）まで受圧部材２２０を揺動変位させた状態で本体プレート部の右側に位置し、ハートキー１４５を挿通させたときに、本体プレート部の右側面およびカムプレート２２３の下端縁面と係合するように形成されている。また、受圧部材２２０の操作摘み２２４が摘み挿通孔２１７を通って蓋部材５８の後面側に突出した状態で配設されている。
【０１２５】
このため、操作摘み２２４に指を掛けて左方に押圧操作することで、受圧部材２２０を時計廻りに揺動させて球止め位置Ｐｓ変位させることができる。そこでハートキー１４５を蓋側キー支持孔１４１ｂに挿入して先端部を枠側キー支持孔１４１ａに緩挿支持させと、ハートキー１４５が本体プレート部の右側面およびカムプレート２２３の下端縁面と係合し、受圧部材２２０が球止め位置Ｐｓにロック保持される。これにより、上流側に停留された遊技球は待機通路５２ａ，５２ｂに突出配設された前後の受圧突起２２２ａ，２２２ｂにより堰き止められ下流側への流下が規制される。
【０１２６】
この状態では、受圧部材２２０が受圧突起挿通孔１１２ａ，１１２ｂとハートキー１４５との間に挟持されるとともに、ハートキー１４５は、左に下傾する本体プレート部の右側面と右に下傾するカムプレート２２３の下端縁面との交点近傍で両面と係合して係止保持される。このため、例えば裏セット盤３０が揺らされたり、上流側に貯留された遊技球から作用する圧力が変動したりしても、受圧部材２２０が解放位置Ｐｆ側に戻ってしまうようなことがない。
【０１２７】
そこで、遊技施設の係員は、一般入賞具２３や始動入賞具２４に遊技球を落入させ、あるいはアタッカー装置２５の開閉扉開かせて大入賞口に遊技球を投入し、またはＣＲ操作パネル９２の球貸要求ボタンを押圧操作するなどにより、球払出装置５３を作動させて遊技球を払い出させることで、受圧突起２２２ａ、２２２ｂと球送り回転体５３ｒとの間に停留する遊技球を短時間で全量球抜きすることができ、球払出装置５３内の遊技球を完全に排出させた状態で、球払出装置５３の点検作業や交換作業などを容易に行うことができる。
【０１２８】
球払出装置５３の点検作業等を終えた後、球止め状態を解除するには、操作摘み２２４を軽く支えてハートキー１４５を後方に抜去し、支えていた操作摘み２２４を緩やかに放せばよい。すると待機通路５３ａ，５３ｂ停留された遊技球の球圧で受圧部材２２０が反時計廻りに揺動し、前後の受圧突起２２２ａ，２２２ｂが受圧突起挿通孔１１２ａ，１１２ｂの右方に待避した解放位置Ｐｆに復帰する。
【０１２９】
従って、以上説明したような球払出制御機構によれば、小型のモータを用いた球払出装置でも適正な払出作動を確保することができるため、装置の小型化および低廉化を実現でき、また負荷を軽減することで長期間安定して作動させ得る払出制御機構を提供することができる。また、受圧部材を揺動変位させるソレノイドが待機通路の前方壁面（裏セット盤の支持面）と遊技盤との間に配設されているため、裏セット盤の厚さを増加させないコンパクトな構成で上記効果を備えた球払出制御機構を提供することができる。さらに、受圧部材を球止め位置に変位させて係止させる簡明な装置構成で、保守作業性の良好な払出制御機構を提供することができる。
【０１３０】
図２４は、Ｓ字レールおよび受圧部材の支持機構部に関する変更例を分解斜視図で示したものであり、その構成は図１３を参照して説明した変更例と同様である。すなわち、本構成例のＳ字レール５２′では、一部蓋部材側に分離形成されていた左右の通路壁をＳ字レール５２′に形成しており、これにより仕切壁５２ｗを挟む前後面を対称に構成するとともに蓋部材５８′の前面形態を簡明化することができる。また右枠杆３３の支持面と蓋部材５８の前面とに分離して形成されていた支軸部１１１ａ，１１１ｂを、Ｓ字レール５２′の仕切壁５２ｗに支軸部１１１′として一体に形成するとともに、揺動部材２２０′の軸受部２２１′を支軸部１１１′を挟む前後に形成して受圧部材２２０′の組み付けを容易化している。さらに、カムプレート部２２３に球止め位置Ｐｓでハートキー１４５を挿通させるキー挿通孔２２３ｃを形成し、球止め位置でのハートキー１４５による係止保持をより強化した構成になっている。
【０１３１】
なお、以上説明した各構成形態では、下流側の遊技球に作用する圧力を減免させる受圧位置Ｐｒと、遊技球の流下を堰き止める球止め位置Ｐｓとを異なる揺動角度位置に設定した実施例を示したが、受圧位置Ｐｒと球止め位置Ｐｓとを同一の揺動角度位置に設定してもよい。例えば、枠側および蓋側キー支持孔１４１ａ，１４１ｂの位置を受圧位置Ｐｒに合わせて形成し、受圧部材１２０，２２０を受圧位置Ｐｒで係止保持する（球止め位置Ｐｓを受圧位置Ｐｒと共通の角度位置に設定する）ように構成してもよい。
【０１３２】
また以上では、球払出制御装置８２に入力される払出指令信号等Ｃが、少数個または多数個の球払出指令信号Ｃ１，Ｃ２であるか球貸し要求信号Ｃ３であるかに拘わらず、受圧制御ユニット１００，２００の作動を同様に制御する制御形態を例示したが、入力される信号の種別に応じて作動状態を変化させ、あるいは払い出される遊技球の数量や払い出しの連続状況等に応じて作動状態を適宜変更して構成することも可能である。例えば、少数個の払出指令信号Ｃ１が複数蓄積されているような場合には最初の払出作動時のみ受圧制御ユニットを作動させるように構成し、あるいは払出数量に応じてソレノイド駆動信号Ｓのパルス幅を変化させるように構成することも可能である。
【０１３３】
さらに、遊技球と係脱する受圧突起を受圧部材１２０，２２０に一体に成型した例を示したが、受圧突起を別体に形成して本体プレート部に固定するように構成してもよい。例えば、ポリウレタン等の弾性樹脂材料でピン状の受圧突起を形成し、これを本体プレート部の下端に嵌着または接着等により一体化して受圧部材を形成してもよい。
【図面の簡単な説明】
【０１３４】
【図１】本発明に係る球払出制御機構を備えた弾球遊技機の一例として示すパチンコ機の正面図である。
【図２】第１構成形態の球払出制御機構を備えたパチンコ機の背面図である。
【図３】第１構成形態の球払出制御機構を含む裏セット盤の右枠杆部分の背面図である。
【図４】第１構成形態の球払出制御機構における受圧制御ユニットを斜め後方から見た分解斜視図である。
【図５】上記受圧制御ユニットおよび球払出装置を主として示す右側断面図である。
【図６】図３中のVI−VI矢視方向に見た平断面図である。
【図７】受圧部材を球止め位置に係止した状態で図３中のVII−VII矢視方向に見た平断面図である。
【図８】球払出制御機構の制御形態を主として示すブロック図である。
【図９】球払出制御機構におけるソレノイドと球払出モータの駆動タイミングを示すタイミングチャートである。
【図１０】受圧部材を受圧位置に変位させたときの遊技球の係止状態を示す背面図である。
【図１１】受圧部材を受圧位置に変位させたときの遊技球の他の係止状態を示す背面図である。
【図１２】ハートキーにより球止め状態にしたときの受圧制御ユニットの背面図である。
【図１３】第１構成形態の球払出制御機構におけるＳ字レールおよび受圧部材の支持機構部に関する変更例を示す分解斜視図である。
【図１４】第２構成形態の球払出制御機構を備えたパチンコ機の背面図である。
【図１５】第２構成形態の球払出制御機構を含む裏セット盤の右枠杆部分の背面図である。
【図１６】第２構成形態の球払出制御機構における受圧制御ユニットを斜め後方から見た分解斜視図である。
【図１７】上記受圧制御ユニットおよび球払出装置を主として示す右側断面図である。
【図１８】図１５中のXVIII−XVIII矢視方向に見た平断面図である。
【図１９】受圧部材を球止め位置に係止した状態で図１５中のXIX−XIX矢視方向に見た平断面図である。
【図２０】球払出制御機構を含む裏セット盤の右枠杆部分の正面図である。
【図２１】受圧部材を受圧位置に変位させたときの遊技球の係止状態を示す背面図である。
【図２２】受圧部材を受圧位置に変位させたときの遊技球の他の係止状態を示す背面図である。
【図２３】ハートキーにより球止め状態にしたときの受圧制御ユニットの背面図である。
【図２４】第２構成形態の球払出制御機構におけるＳ字レールおよび受圧部材の支持機構部に関する変更例を示す分解斜視図である。
【図２５】従来の球払出制御機構における球払出装置の構成および作用を例示する背面図である。
【符号の説明】
【０１３５】
ＰＡ  遊技領域
ＰＭ  パチンコ機
Ｐｆ  解放位置
Ｐｒ  受圧位置
Ｐｓ  球止め位置
Ｃ１，Ｃ２  払出指令信号
Ｃ３  球貸要求信号
Ｍ１，Ｍ２，Ｍ３  モータ駆動信号
Ｓ１，Ｓ２，Ｓ３  ソレノイド駆動信号
１  外枠
２  前枠
３  ヒンジ機構
４  施錠装置
５  ガラス扉（５ｈ  球抜き操作孔）
６  上球皿
７  下球皿
８  発射ハンドル
９  遊技球発射装置
２０  遊技盤
２１  化粧板
２２  案内レール
２３  一般入賞具（２３ｓ  入賞検出センサ）
２４  始動入賞具（２４ｓ  入賞検出センサ）
２５  アタッカー装置（２５ｓ，２５ｔ  入賞検出センサ）
２７  図柄表示装置
２８  アウト口
２９  球寄せカバー
３０  裏セット盤
３１  基枠体
３２  窓口
３３  右枠杆
３４  支持ボス
３５  枢支軸
４１  球貯留タンク
４２  タンクレール
（４２ａ  前列側の整列通路、４２ｂ  後列側の整列通路）
４４  球均し具
４５  球止め部材
５１  球有検出センサ
５２，５２′  Ｓ字レール
（５２ａ  前列側の待機通路、５２ｂ  後列側の待機通路、
５２Ｌ，５２Ｒ  左右の通路壁、  ５２ｗ  仕切壁）
５３  球払出装置
（５３ａ  前列側の受容口、５３ｂ  後列側の受容口、５３ｃ，５３ｄ  左右の払出口、
５３ｍ  球払出モータ、５３ｒ  球送り回転体、５３ｒ１  前列側のインペラ、
５３ｒ２  後列側のインペラ）
５４  球計数センサ
５５  流路切り替え部材（５５ａ  通路壁）
５６  操作部材
５７  球抜き通路（５７ａ  予備通路、５７ｂ  連絡開口、５７ｃ  下降通路）
５８，５８′  蓋部材（５８Ｌ，５８Ｒ  左右の通路壁）
６０  球払出通路
８１  主制御装置
８２  球払出制御装置
８３  ランプ・音声制御装置
８４  電源ユニット
８５  ターミナル基板
８７  図柄表示制御装置
９０  プリペイドカードユニット
９２  ＣＲ操作パネル
１００  受圧制御ユニット
１１１ａ  枠側支軸ボス
１１１ｂ  蓋側支軸ボス
１１１′  支軸部
１１２ａ  前列側の受圧突起挿通部
１１２ｂ  後列側の受圧突起挿通部
１１４  枠壁
１１５  ソレノイド支持部（１１５ｓ  ネジ受容スリット）
１１６  ピン挿通孔
１１７  摘み挿通孔
１１８  前カバー
１２０，１２０′  受圧部材
１２１，１２１′  軸受部
１２２ａ  前列側の受圧突起
１２２ｂ  後列側の受圧突起
１２３  カムプレート部（１２３ｂ  係合斜面、１２３ｃ  キー挿通孔）
１２４  操作摘み
１２５  支軸
１３０  受圧部材駆動機構
１３１  ソレノイド
（１３１ａ  ケース、１３１ｂ  駆動コイル、１３１ｃ  プランジャ、１３１ｄ  リターンスプリング、１３１ｅ  プッシュロッド、１３１ｆ  係止フランジ）
１３３  駆動伝達具
（１３３ａ  軸端ブロック、１３３ｂ  係合ピン）
１３７  発光素子
１３８  固定ネジ
１４０  球止め構造
１４１ａ  枠側キー支持孔
１４１ｂ  蓋側キー支持孔
１４５  ハートキー
２００  受圧制御ユニット
２１５  ソレノイド支持部（２１５ｓ  ネジ受容スリット）
２１６  ピン挿通孔
２１７  摘み挿通孔
２２０，２２０′  受圧部材
２２１，２２１′  軸受部
２２２ａ  前列側の受圧突起
２２２ｂ  後列側の受圧突起
２２３  カムプレート部（２２３ｂ  係合斜面、２２３ｃ  キー挿通孔）
２２４  操作摘み
２３０  受圧部材駆動機構
２３１  ソレノイド
（２３１ａ  ケース、２３１ｂ  駆動コイル、２３１ｃ  プランジャ）
２３３  駆動伝達具
（２３３ａ  軸端ブロック、２３３ｂ  係合ピン）
２３４  リターンスプリング
２３８  固定ネジ
【図１】
2005143613.tif 000003
【図２】
2005143613.tif 000004
【図３】
2005143613.tif 000005
【図４】
2005143613.tif 000006
【図５】
2005143613.tif 000007
【図６】
2005143613.tif 000008
【図７】
2005143613.tif 000009
【図８】
2005143613.tif 000010
【図９】
2005143613.tif 000011
【図１０】
2005143613.tif 000012
【図１１】
2005143613.tif 000013
【図１２】
2005143613.tif 000014
【図１３】
2005143613.tif 000015
【図１４】
2005143613.tif 000016
【図１５】
2005143613.tif 000017
【図１６】
2005143613.tif 000018
【図１７】
2005143613.tif 000019
【図１８】
2005143613.tif 000020
【図１９】
2005143613.tif 000021
【図２０】
2005143613.tif 000022
【図２１】
2005143613.tif 000023
【図２２】
2005143613.tif 000024
【図２３】
2005143613.tif 000025
【図２４】
2005143613.tif 000026
【図２５】
2005143613.tif 000027